(57)【要約】  光学系（１００）は、略円筒形のレンズセル本体と、その中に光学レンズ系を有するレンズセル（１５０）を備える。レンズセル本体は、レンズセルの中央長手方向軸とレンズセルの中央長手方向軸から偏心してオフセットされるレンズセルの光軸を有し、スリーブ（１３０）は、略円筒形のスリーブ本体と、第１の長手方向軸を有する外側表面と、第１の長手方向軸から偏心してオフセットされる第２の長手方向軸を有する内側表面とを有する。レンズセルはスリーブに挿入される。筐体（１１０）は、スリーブが少なくとも一部分挿入される略円筒形の本体を有する。レンズセルとレンズスリーブは互いに対してそして筐体に対して回転され、レンズセルの光軸は、所望の位置で一直線にされる。レンズセルの光軸が所望の位置で一直線にされた後で、レンズセルは、スリーブに固定して接続されて、スリーブは、筐体に対してスリーブが回転するのを防ぐように筐体に接続される。
2009515220.tif 000002
【特許請求の範囲】
【請求項１】
略円筒形のレンズセル本体とその中に光学レンズ系を有するレンズセルであって、レンズセルの中央長手方向の軸線と前記レンズセルの中央長手方向の軸線から偏心してオフセットされるレンズセルの光軸とを有するレンズセルと、
略円筒形のスリーブ本体を有するスリーブであって、第１の長手方向の軸線を有する外側表面と、前記第１の長手方向の軸線から偏心してオフセットされる第２の長手方向の軸線を有する内側表面とを有し、前記レンズセルが挿入されるスリーブと、
略円筒型の本体を有する筐体であって、前記スリーブが、少なくとも一部分挿入される筐体と、
を有する、光学系であって、
前記レンズセルの光軸が所望の位置と一直線になるように、前記レンズセルと前記スリーブは互いに対してそして前記筐体に対して回転されて、前記レンズセルの光軸が、前記所望の位置と一直線にされた後に、前記レンズセルが前記スリーブに固定して接続されて、前記スリーブが前記筐体に対して前記スリーブの回転を防ぐように前記筐体に接続される、
光学系。
【請求項２】
前記レンズセル本体は、複数の固定部材を有し、前記スリーブ本体は、前記スリーブに対する前記レンズセルの回転を防ぐように、前記複数の固定部材に係合する複数のはめあい部材を有する、請求項１に記載の光学系。
【請求項３】
前記スリーブ本体の前記外側表面は、その周りに円周方向に間隔の空いた複数の凹部を有し、更に、前記筐体を介して、前記筐体と前記スリーブを互いに接続するために、複数の凹部の一つに延びる少なくとも一つの固定部材を有する、請求項１に記載の光学系。
【請求項４】
前記筐体は、その中に少なくとも一つの細長い開口部を有し、前記少なくとも一つの固定部材の各々は、前記少なくとも一つの細長い開口の一つに相互補完するように延びる、請求項３に記載の光学系。
【請求項５】
前記複数の凹部は、前記少なくとも一つの細長い開口部に対して調整可能な、請求項４に記載の光学系。
【請求項６】
前記スリーブは、前記筐体に対して長手方向に平行移動可能な、請求項１に記載の光学系。
【請求項７】
前記筐体にねじ止めで接続される焦点リングを更に有する、請求項１に記載の光学系。
【請求項８】
請求項１に記載の光学系と、
レンズアセンブリと、
前記レンズアセンブリと接眼レンズとの間に配置される画像増強装置と、
を有する、単眼鏡。
【請求項９】
フレームと
略円筒形のレンズセル本体とその中に光学レンズ系を有するレンズセルであって、レンズセルの中央長手方向の軸線と前記レンズセルの中央長手方向の軸線から偏心してオフセットされるレンズセルの光軸とを有するレンズセルと、
略円筒形のスリーブ本体を有するスリーブであって、第１の長手方向の軸線を有する外側表面と、前記第１の長手方向の軸線から偏心してオフセットされる第２の長手方向の軸線を有する内側表面とを有し、前記レンズセルが挿入されるスリーブと、
略円筒型の本体を有する筐体であって、前記スリーブが、少なくとも一部分挿入される筐体と、
を有し、
前記レンズセルの光軸が所望の位置と一直線になるように、前記レンズセルと前記スリーブは互いに対してそして前記筐体に対して回転されて、前記レンズセルの光軸が、前記所望の位置と一直線にされた後に、前記レンズセルが前記スリーブに固定して接続されて、前記スリーブが前記筐体に対して前記スリーブの回転を防ぐように前記筐体に接続される、
第１の単眼鏡と、
前記第１の単眼鏡と同じ構成を有する、第２の単眼鏡とを有し、
前記第１と前記第２の単眼鏡がそれぞれ前記フレームに取り外し可能に接続される、
双眼鏡。
【請求項１０】
前記レンズセル本体は、複数の固定部材を有し、前記スリーブに対して前記レンズセルの回転を防ぐための前記複数の固定部材に係合する、複数のはめあい部材を有する、請求項９に記載の双眼鏡。
【請求項１１】
前記スリーブ本体の前記外側表面は、その周りに円周方向に間隔を開けて複数の凹部を有し、前記接眼レンズは、更に、前記筐体と前記スリーブを互いに接続するように、筐体を通って、前記複数の凹部の一つに延びる少なくとも一つの固定部材を有する、請求項９に記載の双眼鏡。
【請求項１２】
前記筐体は、その中に少なくとも一つの細長い開口部を有し、前記少なくとも一つの固定部材の各々は、前記少なくとも一つの細長い開口部の一つに互いに相互補完するように延びる、請求項１１に記載の双眼鏡。
【請求項１３】
前記複数の凹部は、前記少なくとも一つの細長い開口部に対して、調整可能である、請求項１２に記載の双眼鏡。
【請求項１４】
前記スリーブは、前記筐体に対して長手方向に平行移動可能な、請求項９に記載の双眼鏡。
【請求項１５】
前記筐体にねじ止めで接続される、焦点リングを更に有する、請求項９に記載の双眼鏡。
【請求項１６】
略円筒形のレンズセル本体を有するレンズセルを備える段階であって、前記レンズセル本体は、レンズセルの中央長手方向軸と前記レンズセルの中央長手方向軸からオフセットされたレンズセルの光軸を有する、段階と、
前記レンズセルをスリーブに挿入する段階であって、前記スリーブは、略円筒形のスリーブ本体を有し、前記スリーブ本体は、第１の長手方向軸線を有する外側表面と、前記第１の長手方向軸線からオフセットされた第２の長手方向軸線を有する内側表面とを有する段階と、
前記スリーブを筐体に少なくとも一部分挿入する段階であって、前記筐体は、略円筒形の筐体本体を有する段階と、
前記スリーブを独立して回転し、前記レンズセルを、該レンズセルの光軸が所望の位置にあるまで、前記筐体に対して独立して回転する段階と、
前記レンズセルに対する前記スリーブの回転を防ぐために、前記スリーブと前記レンズセルが互いに対して固定する段階と、
前記筐体に対して前記スリーブの回転を防ぐために、前記スリーブを前記筐体に固定する段階と、
を有する、視準のあった光学装置を製造する方法。
【請求項１７】
前記レンズセル本体は、複数の固定部材を有し、前記スリーブ本体は、複数のはめあい部材を有し、前記スリーブと前記レンズセルを互いに対して固定する段階が、更に、前記スリーブに対する前記レンズセルの回転を防ぐために、前記複数の固定部材が前記複数のはめあい部材に係合する段階を有する、請求項１６に記載の方法。
【請求項１８】
前記筐体に前記スリーブを固定する段階は、前記筐体を介してピンを挿入して、前記スリーブに係合する段階を有する請求項１６に記載の方法。
【請求項１９】
前記スリーブを前記筐体に固定する段階は、前記筐体に対して前記スリーブを長手方向に平行移動することを可能にする、請求項１６に記載の方法。
【請求項２０】
前記筐体に焦点リングにねじ止めで更に接続する段階を更に有する、請求項１６に記載の方法。
【発明の詳細な説明】
【技術分野】
【０００１】
例えば単眼鏡の視覚支援システムでは、装置に入力する光線が装置から出力する光線に平行であるように、出力光軸と入力光軸とが一致するときに、装置の視準が合う。典型的な組立手順は、装置に様々な光学要素を取り付ける際の不整合のために、視準が合わない製品を製造する。装置中のマイクロチャネルプレートとねじれた光ファイバーとによって生じるオフセットのために、暗視装置は通常、平行系から外れている。
【背景技術】
【０００２】
装置の視準が合わないときには、系によって作られるイメージは、入力イメージとわずかに一直線にならない。そのようなわずかな視準ミスは、通常単眼鏡では問題にならない。しかしながら、二つの視準が合っていない単眼鏡から構成される双眼鏡は、ユーザの眼に異なった方向の独立したポイントを見ざるおえなくする。これは非常に非自然な状況であり、しばしばユーザを眼精疲労と頭痛で悩ませる。
【０００３】
Ｆ５０５０暗視ゴーグルは、単一の偏心した機械の筐体を含む機構を使用して、一つの単眼鏡ともう一つの単眼鏡との視準を合わせる。単一の偏心した筐体は、光学イメージを略視準が合ったイメージに移すことを可能にする。
【発明の開示】
【発明が解決しようとする課題】
【０００４】
しかしながら、Ｆ５０５０のゴーグルは、系として一直線にされなければならない。出力光軸が双眼鏡の機械軸または、入力光軸と一直線になる必要がない。単眼鏡の一つが置き換えられて、または点検されたならば、両方の単眼鏡は、再び出力軸を平行にするために視準が合わされる必要がある。双眼鏡の両方の単眼鏡が再び視準が合わされることなしに、単眼鏡が置き換えられて、または点検されることが可能な、視準が合った双眼鏡を提供するのが有利である。
【課題を解決するための手段】
【０００５】
手短に言えば、本発明は略円筒形のレンズセル本体とその中に光学レンズ系を有するレンズセルを有する、光学系を提供する。レンズセル本体は、レンズセル中央の長手方向軸と、レンズセル中央の長手方向軸から偏心してオフセットされたレンズセルの光軸とを有している。スリーブは略円筒形のスリーブ本体と、第１の長手方向軸を伴う外側面と、第１の長手方向軸から偏心してオフセットされた第２の長手方向軸を有する内側面とを有している。レンズセルはスリーブに挿入されている。筐体は、スリーブが少なくとも一部分挿入された略円筒形の本体を有している。レンズセルとスリーブは、レンズセルの光軸が所望の位置で一直線にされるように、互いに対しておよび筐体に対して回転される。レンズセルの光軸が、所望の位置で一直線にされた後には、レンズセルは、スリーブに固定して接続されて、スリーブは、スリーブの筐体に対する回転を防ぐように筐体に接続される。
【０００６】
あるいは、本発明は、フレームと、上述したような光学系を含む第１の単眼鏡と、第１の単眼鏡と同じ構成を有する第２の単眼鏡を有する双眼鏡を更に提供する。第１と第２の単眼鏡は、フレームに取り外し可能に別々に接続されている。
【０００７】
また、本発明は、上述したような光学系の要素を備える段階を有する視準があった光学装置を製造する方法を備えている。
方法は、
レンズセルをスリーブに挿入する段階と、
スリーブを少なくとも一部分、略円筒形の筐体本体を有する筐体に挿入する段階と、
光学装置が所望の視準に合うまで、独立してスリーブとレンズセルを互いに対してそして筐体に対して回転する段階と、
レンズセルに対するスリーブの回転を防ぐために互いに対してスリーブとレンズセルを固定する段階と、
筐体に対するスリーブの回転を防ぐために筐体に対してスリーブを固定する段階と、を有する。
【発明を実施するための最良の形態】
【０００８】
ここでは、便宜上のためだけに、ある専門用語が使用され、専門用語を本発明の制限としてとらえるべきではない。専門用語は、特に言及された言葉と、それから派生した言葉と、類似の外来語とを含む。ここで使用されるように、用語「入力」は、単眼鏡が、ここで説明されるような使用位置にあるときに、ユーザからより離れた方向を意味するために定義される。そして用語「出力」は、単眼鏡がここで説明されるような使用位置にあるときに、ユーザにより近い方向を意味するために定義される。以下は、本発明の好ましい実施形態を説明する。しかしながら、本発明は、本発明の好ましい実施形態によって制限されないことを、この開示に基づき理解すべきである。
【０００９】
大まかに図面を参照すると、本発明の好ましい実施形態に係る単眼鏡１００が示される。好ましい単眼鏡１００は、単眼鏡として使用可能であり、または、図１で示される暗視ゴーグル（ＮＶＧ）の双眼鏡２１０の一部とすることが可能である。これらの装置は、暗い環境での視界を広くするための周辺光または赤外光を増強するのに使用される。
【００１０】
図２を参照すると、単眼鏡１００は略管状の形状である。単眼鏡１００は、外部環境から光を受信する入力端部１０２と、ユーザに増強されたイメージを伝達する出力端部１０４を有する。単眼鏡１００の長手方向の断面図である、図３を参照すると、単眼鏡１００の主要構成要素は、左から右に、接眼レンズ１０６、画像増強管１９０および、対物レンズアセンブリ１９２であり、これらは全て筐体１１０内に入れられる。
【００１１】
図３〜５を参照すると、接眼レンズ１０６は、スリーブ１３０に配置されたレンズセル１５０を有し、スリーブ１３０は、スリーブ１１０に一部分が配置されている。焦点リング１７０は、筐体１１０にねじ止めて係合し、筐体１１０に対して、スリーブ１３０とレンズセル１５０を長手方向に平行移動するように作動する。そのような平行移動は、筐体１１０に対してスリーブ１３０とレンズセル１５０を回転することなしに、達成されるのが好ましい。接眼レンズ１０６は、製造中に視準が合わされる。それゆえ、スリーブ１３０とレンズセル１５０は、ユーザによる接眼レンズ１０６の焦点合わせ中のような作業中、筐体１１０に対してまたは互いに回転しないことが望ましい。
【００１２】
筐体１１０は、略管状の本体１１２である。筐体１１０の出力端部１１４は、本体１１２に形成される、直径方向に間隔の空いた２つの細長いスロット１１６を有している。スロット１１６は、図６で示されるショルダーピン１１８が、本明細書にて後で詳細に説明されるように、偏心スリーブ１３０に係合するためにその中に挿入されることを可能にする。ショルダーピン１１８は、スロット１１６に適合する四角のヘッド１１８ａと、そこから伸びて、スリーブ１３０に入る、円筒形のシャンク１１８ｂを有するのが好ましい。ヘッド１１８ａは、ショルダーピン１１８の領域の本体１１２の外形を越えて延びないことが望ましい。ショルダーピン１１８が望ましいが、当業者は、ショルダーピン１１８の代わりに、位置決めねじ、または他の既知の固定装置が使用されてもよいことを認識する。
【００１３】
図３〜５に戻って参照すると、筐体１１０はまた、焦点リング１７０にねじ止めで係合可能な本体１１２の外側表面に形成される、ねじ山１２０を有する。入力端部１０２では、筐体１１０は、互いに略平行に入力端部１０２の全長に沿って縦方向に延びる、円周上に間隔の開いた複数の頂部１２２を有する。頂部１２２は、使用中にユーザが単眼鏡１００を把持するのを助ける。
【００１４】
偏心スリーブ１３０は、図７のページの平面から外側に垂直に延びる外側のシリンダー軸１３４を有する外側表面１３２によって形成される略円筒形の本体を含む。内側表面１３６は、図７のページの平面から外側に垂直に延びる内側のシリンダー軸１３８を有する。内側のシリンダー軸１３８は、わずかな距離、すなわち約０．５ミリメートル、外側のシリンダー軸１３４から、わずかにオフセットされているのが好ましいが、オフセット距離は、０．５ミリメートルでなくていもよいことを当業者は認識することができる。このオフセットは、製造時にスリーブ１３０が筐体１１０の中に挿入されて、筐体１１０内で回転されるときに、内側のシリンダー軸１３８が外側のシリンダー軸１３４に対してシフトするように、スリーブ１３０中に第１の偏心を作る。
【００１５】
図８を参照すると、スリーブ１３０は、また外側表面１３２の周りで円周上に間隔の空いた一連の凹部１４０を有する。好ましい実施形態では、４０個の凹部１４０が、均等の間隔で、外側表面１３２の周りに延びている。凹部１４０は、必ずしもではないが、外側表面１３２を通って、内側表面１３６に延びる。凹部１４０は、とまりばめで円筒形のシャンク１１８ｂを受容して、保持する大きさに作られる。図６で示されるように、スリーブ１３０が筐体１１０に挿入されると、スリーブ１３０は、選択された凹部１４０の一つが、細長いスロット１１６と一直線になるように、筐体１１０と一直線になる。ショルダーピン１１８は、円筒形のシャンク１１８ｂが選択された凹部１４０に挿入されて、ヘッド１１８ａが、細長いスロット１１６に収容されるように、細長いスロット１１６を通して挿入可能である。ショルダーピン１１８は、筐体１１０に対して、スリーブ１３０が回転することを防ぐが、細長いスロット１１６は、ショルダーピン１１８とスリーブ１３０が筐体１１０に対して、長手方向に平行移動することを可能にする。
【００１６】
図８に戻って参照すると、外側表面１３２は、スリーブ１３０の出力端部の周りを円周上に延びる溝１４１を有している。溝１４１は、単眼鏡１００の組立中に外側表面１３２と筐体１１０の間の結合部を密閉するオーリングを受容して保持するような大きさに作られる。外側表面１３２はまた、溝１４１と凹部１４０の間の外側表面１３２から半径方向、外側に延びるリップ１４２を有している。リップ１４２は、焦点リング１７０の回転が筐体１１０に対してスリーブ１３０を長手方向に平行移動するように、焦点リング１７０に係合する。
【００１７】
外側表面１３２は、更にスリーブ１３０の入力端部の周りを円周上に延びる溝１４３を有している。溝１４３は、その中にスナップリングを受容し保持する大きさに作られる。スナップリングは、図５で見ることができるように、リップ１４２に対して焦点リング１７０を固定する。
【００１８】
図８に戻って参照すると、内側表面１３６はまた、内側表面１３６から内側のシリンダー軸１３８に対して延びる入力リップ１４６の周りに半径方向に延びる複数の歯１４４を有している。複数の歯１４４は、この後で詳しく説明されるように、レンズセル１５０上の複数のかみあい歯と係合する。
【００１９】
図５を参照して、内側表面１３６はまた、固定リング１４８を受容する内側のねじ１４７を有する。固定リング１４８は、スリーブ１３０に対してレンズセル１５０を付勢して、焦点を合わせる間に、レンズセル１５０にスリーブ１３０の長手方向の動作を伝達する。固定リング１４８は、内側表面１３６の内側のねじ１４７と係合する外側のねじ１４９を有している。固定リング１４８の出力端部は、また、固定リング１４８をスリーブ１３０に挿入するのに使用される、図４で示される、直径方向に対向する一対のスロット１４９ａを有する。挿入ツール（図示せず）は、スロット１４９ａに係合する。固定リング１４８を回転して、固定リング１４８をスリーブ１３０に通すように、挿入ツールが回転される。
【００２０】
レンズセル１５０は、図９のページ面から外に垂直に延びる外側表面１５２によって形成される略円筒形の本体と、外側表面１５２から偏心してオフセットされた内側表面１５６を有する。内側表面１５６は、図９のページ面から外側に垂直に延びる光軸１５８を有する。光軸１５８は、わずかな距離で、外側のシリンダー軸１５４からわずかにオフセットされる。当業者は、オフセット距離が０．５ミリメートルでなくてもよいことを認識できるが、好ましくは、約０．５ミリメートルである。このオフセットは、製造中に、レンズセル１５０がスリーブ１３０に挿入されて、スリーブ１３０中で回転されるときに、光軸１５８は外側のシリンダー軸１５４に対してシフトする。
【００２１】
図３に戻って、レンズセル１５０は、内側表面１５６中に配置された複数のレンズ１６０を有する。レンズ１６０は、光軸１５８と全て一直線にされた中央軸１６２を有する。スリーブ１３０と第１の偏心で結合するので、光軸１５８は、光軸１５８が残りの単眼鏡１００と視準が合わさるまで、外側のシリンダー軸１３４、１５４の周りで操作可能である。
【００２２】
図８を参照して、外側表面１５２は、レンズセル１５０の入力端部の周りを円周上に延びる溝１６１を有する。溝１６１は、単眼鏡１００の組み立て中に、外側表面１５２とスリーブ１３０間の結合部を密閉するＯリングが受容されて保持される大きさに作られる。レンズセル１５０の入力端部の一部はまた、スリーブ１３０上の歯１４４と係合する複数の相手側の歯１６４を有する。歯１６４は、レンズセル１５０の入力端部の周りに円周上に配置される３組で配置されるのが好ましい。しかしながら、当業者は、三組の歯１６４ではない組数の歯が、レンズセル１５０の入力端部の周りで間隔を開けて配置されることが出来ることを認識できるであろう。リップ１６６は、入力端部から長手方向に離れて延びる。リップ１６６は、複数の切り欠き１６７を有し、個々の切り欠き１６７は、一組の歯１６４に間隔を開けて隣接して配置される。切り欠き１６７は、製造中に、歯１６４を切るのを助けるために形成される。
【００２３】
図４に戻って参照すると、レンズセル１５０の出力端部は、また、その中に形成される直径方向に対向する一組のスロット１６８を有する。スロット１６８は、組立中に、スリーブ１３０中にレンズセル１５０を挿入するのを助ける挿入ツール（図示せず）を受容する大きさに作られる。溝１６９は、溝１６１と歯１６４間の外側表面１５２に形成される。溝１６９は、単眼鏡１００の組み立て中、外側表面１５２とスリーブ１３０間の結合部を密閉するОリングを受容して保持する大きさに作られる。
【００２４】
焦点リング１７０は、外側表面１７２と内側表面１７４によって形成される略環状の本体を有する。外側表面１７２は、円周上に間隔の空いた複数の溝１７６を有する。溝１７６は、使用中に、ユーザに焦点リング１７０を把持して、接眼レンズ１０６の焦点を合わすために焦点リング１７０を回転することを可能にする。
【００２５】
内側表面１７４は、筐体１１０上の外側のねじ１２０と係合する、ねじが切られた構成１７８を有する。内側表面１７４はまた、内側表面１７４とスリーブ１３０間の結合部を密閉するためのОリングを受容して保持する大きさに作られる。更に図５を参照すると、内側表面１７４は、スリーブ１３０に対して延びて、スリーブ１３０のリップ１４２に係合するリップ１８２を有する。
【００２６】
スナップリング１８４は、スリーブ１３０に対して焦点リング１７０を固定するのに使用される。スナップリング１８４は、スリーブ１３０の溝１４３にはめ込まれて、スリーブ１３０のリップ１４３に対して焦点リング１７０のリップ１８２を固定する。
【００２７】
図３に戻って参照すると、画像増強装置１９０は、筐体１１０に配置されて、全ての光学素子、電子機器、画像増強装置１９０を操作するのに関連した装置を有する。対物レンズアセンブリ１９２は、画像増強装置１９０と入力端部１０２間の筐体１１０に配置される。画像増強装置１９０と対物レンズアセンブリ１９２は、詳細に説明する必要はないいかなる既存の装置とすることが可能である。しかしながら、図３は、対物レンズアセンブリ１９２を有する複数のレンズを示すが、当業者は、対物レンズアセンブリ１９２は、単一のレンズだけを有することも可能であることを認識できるであろう。電源コネクタ１９４は、筐体本体１１２から外側に延びる。電源コネクタ１９４は、画像増強装置１９０を電源（図示せず）に電気的に接続する。電源コネクタ１９４はまた、双眼鏡または兵器の照準器のように、単眼鏡１００を支持部材に取り外し可能に物理的に接続する。
【００２８】
単眼鏡１００の内側の構造に湿気や泥が入ることからまもるために、上述した構成要素のいくつかの係合面を密閉するのに、複数のＯリング１９６が単眼鏡１００で使用される。
【００２９】
接眼レンズ１０６を組み立てるために、画像増強管１９０と対物レンズアセンブリ１９２は、既存の方法に従って単眼鏡１００に挿入される。レンズセル１５０は、レンズセル１５０のはめあい歯１６４がスリーブ１３０の歯１４４に係合するように、図８で示されるようにスリーブ１３０に一部分が挿入される。結合されたスリーブ１３０とレンズセル１５０は、その後、筐体セル１１０に挿入される。スリーブ１３０とレンズセル１５０は、単眼鏡１００と視準が合うために、互いに対してそして筐体１１０に対して、独立して回転される。スリーブ１３０の内側のシリンダー軸１３８に対する、外側のシリンダー軸１３４の偏心と同様に、レンズセル１５０の外側のシリンダー軸１５４に対する光軸１５８の偏心は、光軸１５８が画像増強装置１９０と対物レンズアセンブリ１９２と視準が合うまで、筐体１１０に対してスリーブ１３０とレンズセル１５０が回転することを可能にする。歯１４４とはめあい歯１６４は、視準を合わせる間、調整可能なように傾斜している。歯１６４、１４４が完全な視準を保持するように完全に一直線でない場合には、レンズセル１５０は、接眼レンズ１０６の視準をわずかにずらすが、歯１６４、１４４間のはめあい係合を維持するように、スリーブ１３０に対して、調整可能である。
【００３０】
次にスリーブ１３０は、選択された凹部１４０が個々の細長いスロット１１６に一直線になるように、筐体１１０と一直線にされる。凹部１４０がスロット１１６の一つと一直線にされるときは、別の凹部１４０は、残りのスロット１１６と一直線になる。ショルダーピン１１８は、円筒型のシャンク１１８ｂが選択された凹部１４０に挿入されて、ヘッド１１８ａがスロット１１６に挿入されるように、個々のスロット１１６を介して挿入される。ショルダーピン１１８がスロット１１６の全長を平行移動することに制限されるので、ショルダーピン１１８は、筐体１１０に対するスリーブ１３０とレンズセル１５０の回転を防いで、更に、筐体１１０に対するスリーブ１３０の長手方向の平行移動を制限する。凹部１４０とスロット１１６が完全な視準を保持するように完全に一直線でない場合には、接眼レンズ１０６の視準をほんのわずかにずらすが、凹部１４０とスロット１１６間の一直線を保持するために、スリーブ１３０は、筐体に対して調整可能である。一度光軸１５８の視準が合わされると、固定リング１４８はスリーブ１３０に対してレンズセル１５０を固定するように、スリーブ１３０上でねじ止めされる。
【００３１】
焦点リング１７０が次に筐体１１０上でねじ止めされる。スナップリング１８４は溝１４３にはめ込まれて、焦点リング１７０のリップ１８２をスリーブ１３０のリップ１４２に対して固定する、そして、焦点リング１７０と筐体１１０のねじ止め結合によって、生じる焦点リング１７０の平行移動は、スリーブ１３０またはレンズセル１５０を回転することなしに、スリーブ１３０とレンズセル１５０に伝達される。
【００３２】
単眼鏡１００は、ヘルメットに取り付けられた、または携帯用の暗視システムである。あるいは、単眼鏡１００は、例えば、ライフルまたは戦車の兵器システムの照準器として使用されることも可能である。更に単眼鏡１００は、焦点合わせおよび視準合わせが必要な、いかなる光学系に組み込むことが可能である。
【００３３】
図１に戻って参照すると、第２の単眼鏡２００は、双眼鏡２１０を形成するために、単眼鏡１００とともに使用される。第２の単眼鏡２００は、単眼鏡１００と構造的に類似しているのが好ましい。第１および第２の単眼鏡１００、２００は、単眼鏡１００、２００それぞれの電源コネクタ１９４を介して双眼鏡フレーム２１２に取り外し可能に接続される。単眼鏡１００、２００の一つが修理され、または交換される必要がある場合には、単眼鏡は、フレーム２１２から取り外されて修理され、または交換される。修理されたまたは交換用の単眼鏡が双眼鏡フレーム２１２に接続されるときには、修理された、または交換された単眼鏡は、元の単眼鏡と視準を合わせる必要がない。
【００３４】
本発明は、特定の実施形態を参照しながら本明細書で説明されるが、本発明は、詳細に示された内容に制限されることを意図しない。それどころか、本発明から逸脱しないで請求の範囲に均等な範囲で、詳細に様々な修正をすることが可能である。本発明の好ましい実施形態が本明細書で示されて説明されるが、そのような実施形態は、単に例として提供されることが理解される。当業者は、本発明の精神を逸脱しない範囲で多くの変形、変更および置換を思いつく。従って、添付の請求の範囲は、本発明の精神と範囲に含まれるような変形全てをカバーすることを意図している。
【００３５】
本発明の好ましい実施形態の「発明を実施するための最良の形態」と同様に「発明の開示」も、本明細に組みこまれ、本明細書の一部を構成する添付図面と併せて読むことにより更に理解される。本発明を説明する目的のために、現在好ましい実施形態が図面で示される。しかしながら本発明は示される正確なアレンジメントと装置に制限されない。図面では、同じ参照番号が、複数の図面を通して同じ要素を表すのに、使用される。
【図面の簡単な説明】
【００３６】
【図１】本発明の一実施形態に係る単眼鏡を有する双眼鏡の斜視図である。
【図２】本発明の一実施形態に係る、単眼鏡のみの斜視図である。
【図３】図１で示される単眼鏡の長手方向側面から見た断面図である。
【図４】図１で示される単眼鏡の接眼レンズの構成要素の分解図である。
【図５】図３で示された接眼レンズ部分の一部の拡大図である。
【図６】図４で示される筐体と接眼レンズのスリーブ間の接続部の斜視図である。
【図７】図４で示されるスリーブの出力端部の外形図である。
【図８】スリーブに挿入されているレンズセルの斜視図である。
【図９】レンズセルの出力端部の外形図である。
【図１】
2009515220.tif 000003
【図２】
2009515220.tif 000004
【図３】
2009515220.tif 000005
【図４】
2009515220.tif 000006
【図５】
2009515220.tif 000007
【図６】
2009515220.tif 000008
【図７】
2009515220.tif 000009
【図８】
2009515220.tif 000010
【図９】
2009515220.tif 000011
【国際調査報告】
2009515220.tif 000012
2009515220.tif 000013
2009515220.tif 000014